(57)【要約】【課題】軽量で搬送しやすく、設置作業も簡略化することができる増設用架台を提供する。【解決手段】２本の縦ビーム１２、１２と２本の横ビーム１３、１３とを矩形フレーム状に組み付けた増設用架台１１に、脚部を備えない。したがって、基礎架台２よりも軽量であり、搬送等にコストがかからない上、取り扱いやすい。また、２つの基礎架台２、２の間に配する際に、設置面へ直接的に固定する必要がなく、設置作業も簡易となる。さらに、各縦ビーム１２に、外側へ突出する突片１４を設けた。したがって、２つの基礎架台２、２の間に配するにあたり、基礎架台２、２間に架け渡すことができるため、設置作業が非常に簡易となる。加えて、突片１４を縦ビーム１２からの切り起こしにより設けた。したがって、別途部材を縦ビームに取り付けて突片を設ける場合と比べて、突片１４の形成にも手間がかからない。【選択図】図３
2015070174.tif 000002
【特許請求の範囲】
【請求項１】
矩形フレーム状のラック設置部と、設置面に固定するため前記ラック設置部の四隅に立設された脚部とを有して横方向へ並ぶ２つのラック設置用架台の間に配され、上面にラックを設置することができる増設用架台であって、
２本の縦ビームと２本の横ビームとを矩形フレーム状に組み付けてなる増設用設置部を有しており、前記増設用設置部の上面にラックを設置可能とする一方、
前記縦ビームに、外側へ突出する突片を切り起こしにより形成し、前記２つのラック設置用架台の間に配する際に、前記突片を前記ラック設置部の上面に載置することで、前記２つのラック設置用架台間に架け渡し可能とするとともに、
前記増設用設置部に脚部を立設せず、前記２つのラック設置用架台の間に配する際に、前記設置面へ直接的には固定しないことを特徴とする増設用架台。
【請求項２】
矩形フレーム状のラック設置部と、設置面に固定するため前記ラック設置部の四隅に立設された脚部とを有して横方向へ並ぶ２つのラック設置用架台の間に配され、上面にラックを設置することができる増設用架台であって、
２本の縦ビームと２本の横ビームとを矩形フレーム状に組み付けるとともに、前記横ビームの中央部同士を連結するように仕切りビームを組み付けることで、前記仕切りビームを挟んで２つの増設用設置部を有しており、各前記増設用設置部の上面にラックを設置可能とする一方、
前記縦ビームに、外側へ突出する突片を切り起こしにより形成し、前記２つのラック設置用架台の間に配する際に、前記突片を前記ラック設置部の上面に載置することで、前記２つのラック設置用架台間に架け渡し可能とするとともに、
前記横ビームの中央部にのみ、前記設置面に固定するための脚部を立設したことを特徴とする増設用架台。
【発明の詳細な説明】
【技術分野】
【０００１】
本発明は、たとえば通信機器や電子機器等を収納するラックを複数並べて設置する際に使用する増設用架台に関するものである。
【背景技術】
【０００２】
従来、たとえば通信機器や電子機器等を収納するラックをＯＡフロア等の設置面に設置する際、まず設置面にラック設置用架台を固定し、当該ラック設置用架台上にラックを設置するといった方法をとることがある。このラック設置用架台は、４本のビームを矩形フレーム状に組み付けたラック設置部と、ラック設置部の４隅に立設された脚部とからなる（たとえば特許文献１）。そして、ラックを複数設置するにあたっては、ラックと同数のラック設置用架台を準備し、各ラック設置用架台上にラックを１つずつ設置していた。
【先行技術文献】
【特許文献】
【０００３】
【特許文献１】特開２０１２−２４４１２７号公報
【発明の概要】
【発明が解決しようとする課題】
【０００４】
しかしながら、１つのラックに対し１つのラック設置用架台を準備するとなると、たとえばデータセンター等において大量のラックを設置する場合、ラック設置用架台も大量に必要となるため、ラック設置用架台の搬送にコストがかかるし、設置面への設置作業にも手間がかかるという問題がある。
【０００５】
そこで、本発明は、上記問題に鑑みなされたものであって、軽量で搬送しやすく、設置作業も簡略化することができる増設用架台を提供しようとするものである。
【課題を解決するための手段】
【０００６】
上記目的を達成するために、本発明のうち請求項１に記載の発明は、矩形フレーム状のラック設置部と、設置面に固定するため前記ラック設置部の四隅に立設された脚部とを有して横方向へ並ぶ２つのラック設置用架台の間に配され、上面にラックを設置することができる増設用架台であって、２本の縦ビームと２本の横ビームとを矩形フレーム状に組み付けてなる増設用設置部を有しており、前記増設用設置部の上面にラックを設置可能とする一方、前記縦ビームに、外側へ突出する突片を切り起こしにより形成し、前記２つのラック設置用架台の間に配する際に、前記突片を前記ラック設置部の上面に載置することで、前記２つのラック設置用架台間に架け渡し可能とするとともに、前記増設用設置部に脚部を立設せず、前記２つのラック設置用架台の間に配する際に、前記設置面へ直接的には固定しないことを特徴とする。
また、上記目的を達成するために、本発明のうち請求項２に記載の発明は、矩形フレーム状のラック設置部と、設置面に固定するため前記ラック設置部の四隅に立設された脚部とを有して横方向へ並ぶ２つのラック設置用架台の間に配され、上面にラックを設置することができる増設用架台であって、２本の縦ビームと２本の横ビームとを矩形フレーム状に組み付けるとともに、前記横ビームの中央部同士を連結するように仕切りビームを組み付けることで、前記仕切りビームを挟んで２つの増設用設置部を有しており、各前記増設用設置部の上面にラックを設置可能とする一方、前記縦ビームに、外側へ突出する突片を切り起こしにより形成し、前記２つのラック設置用架台の間に配する際に、前記突片を前記ラック設置部の上面に載置することで、前記２つのラック設置用架台間に架け渡し可能とするとともに、前記横ビームの中央部にのみ、前記設置面に固定するための脚部を立設したことを特徴とする。
【発明の効果】
【０００７】
請求項１に記載の発明によれば、従来のラック設置用架台と異なり脚部を備えていない。したがって、ラック設置用架台よりも軽量であり、搬送等にコストがかからない上、取り扱いやすい。また、２つのラック設置用架台の間に配する際に、設置面へ直接的に固定する必要がなく、設置作業も簡易となる。さらに、各縦ビームに、外側へ突出する突片を設けており、２つのラック設置用架台の間に配するにあたり、ラック設置用架台間に架け渡すことができるため、設置作業が非常に簡易となる。加えて、突片を縦ビームからの切り起こしにより設けているため、別途部材を縦ビームに取り付けて突片を設ける場合と比べて、突片の形成にも手間がかからない。
また、請求項２に記載の発明によれば、仕切りビームを挟んで２つの増設用設置部を有しているため、ラック設置数が同数となる２つのラック設置用架台と比較することになるが、２つのラック設置用架台と比べると、脚部の数が大幅に少なくなる。したがって、請求項１に記載の発明と同様、軽量化されていると言うことができ、搬送等にコストがかからない上、取り扱いやすい。また、２つのラック設置用架台の間に配する際に、脚部を固定する回数が減るため、設置作業も簡易となる。さらに、各縦ビームに、外側へ突出する突片を設けており、２つのラック設置用架台の間に配するにあたり、ラック設置用架台間に架け渡すことができるため、設置作業が非常に簡易となる。加えて、突片を縦ビームからの切り起こしにより設けているため、別途部材を縦ビームに取り付けて突片を設ける場合と比べて、突片の形成にも手間がかからない。
【図面の簡単な説明】
【０００８】
【図１】基礎架台と増設用架台とを横方向に並設した架台列を示した斜視説明図である。
【図２】架台列を基礎架台や増設用架台毎にばらして示した説明図である。
【図３】第１増設用架台を示した説明図である。
【図４】第２増設用架台を示した説明図である。
【図５】第１増設用架台や第２増設用架台と基礎架台との連結部の断面を示した説明図である。
【発明を実施するための形態】
【０００９】
以下、本発明の一実施形態となる増設用架台について、図面にもとづき詳細に説明する。
【００１０】
図１は、基礎架台２と第１増設用架台１１や第２増設用架台２１とを横方向に並設した架台列１を示した斜視説明図であり、図２は、架台列１を基礎架台２や第１増設用架台１１、第２増設用架台２１毎にばらして示した説明図である。図３は、第１増設用架台１１を示した説明図であり、図４は、第２増設用架台２１を示した説明図である。
【００１１】
基礎架台２は、従来同様のラック設置用架台であって、４本のビームを矩形フレーム状に組み付けてなるラック設置部３と、ラック設置部３の四隅に立設された脚部４、４・・とを備えてなり、１つのラックをラック設置部３に設置可能としたものである。そして、ラック設置部３の上面には、ラックを設置するための設置孔５、５・・が設けられている。また、ラック設置部３の側面（特に、縦ビームの外側の側面）には、複数の基礎架台２や第１増設用架台１１、第２増設用架台２１を横方向に並設する際に、基礎架台２、２同士、若しくは、基礎架台２と第１増設用架台１１や第２増設用架台２１とを連結するためのボルトを挿通可能な連結孔７、７が設けられている。一方、各脚部４には、基礎架台２を設置面に固定するための固定孔６、６・・が設けられている。
【００１２】
第１増設用架台１１は、２本の縦ビーム１２、１２と２本の横ビーム１３、１３とを矩形フレーム状に組み付けてなる増設用設置部のみを有しており、基礎架台２等に備えられている脚部を有していない。そして、当該第１増設用架台１１は、基礎架台２同様、１つのラックを設置することができる。また、各縦ビーム１２には、フレーム外側へ突出する突片１４が切り起こしにより形成されており、後述するように、２つの基礎架台２、２間に配する際に、隣りの基礎架台２のラック設置部３の上面（特に、縦ビームの上面）に載置可能となっている。さらに、第１増設用架台１１の上面には、ラックを設置するための設置孔１５、１５・・が設けられている。加えて、第１増設用架台１１の側面（特に、各縦ビーム１２の外側の側面）には、２つの基礎架台２、２間に配する際に、隣りの基礎架台２と連結するためのボルトを挿通可能な連結孔１６、１６が設けられている。
【００１３】
第２増設用架台２１は、２本の縦ビーム２２、２２と、基礎架台２や第１増設用架台１１の横ビームの略２倍の長さを有する２本の横ビーム２３、２３とを矩形フレーム状に組み付けるとともに、横ビーム２３、２３の中央部同士を連結するように仕切りビーム２４を組み付けてなる。そして、仕切りビーム２４を中心として一方側の矩形フレーム部が第１増設用設置部２５、他方側の矩形フレーム部が第２増設用設置部２６となっており、第２増設用架台２１は、各増設用設置部２５、２６に夫々１つのラックを設置可能、すなわち合計２つのラックを設置可能となっている。また、各縦ビーム２２には、フレーム外側へ突出する突片２７が切り起こしにより形成されており、後述するように、２つの基礎架台２、２間に配する際に、隣りの基礎架台２のラック設置部３の上面（特に、縦ビームの上面）に載置可能となっている。さらに、第１増設用設置部２５や第２増設用設置部２６の上面には、ラックを設置するための設置孔２８、２８・・が設けられている。加えて、第２増設用架台２１の側面（特に、各縦ビーム２２の外側の側面）には、２つの基礎架台２、２間に配する際に、隣りの基礎架台２と連結するためのボルトを挿通可能な連結孔２９、２９が設けられている。一方、各横ビーム２３の中央部（すなわち、仕切りビーム２４の連結部）には、脚部３０が立設されており、各脚部３０の下端部には、第２増設用架台２１を設置面に固定するための固定孔３１が設けられている。
【００１４】
上述したような第１増設用架台１１や第２増設用架台２１は図１に示すような架台列１を形成するに際し、基礎架台２と基礎架台２との間に配される。このとき、たとえば第１増設用架台１１については、縦ビーム１２、１２の突片１４、１４を隣りの基礎架台２、２のラック設置部３の上面に載置することにより、基礎架台２、２間に第１増設用架台１１を一旦架け渡す。それから、図５に示す如く、ボルト４０で第１増設用架台１１と基礎架台２、２とを連結する。すなわち、第１増設用架台１１は、設置面へ直接的に固定しない。一方、第２増設用架台２１についても、縦ビーム２２、２２の突片２７、２７を隣りの基礎架台２、２のラック設置部３の上面に載置することにより、基礎架台２、２間に一旦架け渡す。それから、ボルト４０で第２増設用架台２１と基礎架台２、２とを連結するとともに、アンカー（図示しない）等で第２増設用架台２１を設置面に固定すればよい。なお、図５中の４１は、基礎架台２や第１増設用架台１１、第２増設用架台２１に設置されたラックである。
【００１５】
以上のような構成を有する第１増設用架台１１によれば、基礎架台２と異なり脚部を備えていない。したがって、基礎架台２よりも軽量であり、搬送等にコストがかからない上、取り扱いやすい。また、２つの基礎架台２、２の間に配する際に、設置面へ直接的に固定する必要がなく、設置作業も簡易となる。さらに、各縦ビーム１２に、外側へ突出する突片１４を設けており、２つの基礎架台２、２の間に配するにあたり、基礎架台２、２間に架け渡すことができるため、設置作業が非常に簡易となる。加えて、突片１４を縦ビーム１２からの切り起こしにより設けているため、別途部材を縦ビームに取り付けて突片を設ける場合と比べて、突片１４の形成にも手間がかからない。
【００１６】
一方、以上のような構成を有する第２増設用架台２１については、仕切りビーム２４を挟んで２つの増設用設置部２５、２６を有しているため、ラック設置数が同数となる２つの基礎架台２、２と比較することになるが、２つの基礎架台２、２と比べると、脚部の数が大幅に少ない。したがって、第１増設用架台１１と同様、軽量化されていると言うことができ、搬送等にコストがかからない上、取り扱いやすい。また、２つの基礎架台２、２の間に配する際に、脚部を固定する回数が減るため、設置作業も簡易となる。さらに、各縦ビーム２２に、外側へ突出する突片２７を設けており、２つの基礎架台２、２の間に配するにあたり、基礎架台２、２間に架け渡すことができるため、設置作業が非常に簡易となる。加えて、突片２７を縦ビーム２２からの切り起こしにより設けているため、別途部材を縦ビームに取り付けて突片を設ける場合と比べて、突片２７の形成にも手間がかからない。
【００１７】
なお、本発明に係る増設用架台は、上記実施形態の態様に何ら限定されるものではなく、増設用架台の全体的な構成や突片の形状等について、本発明の趣旨を逸脱しない範囲で、必要に応じて適宜変更することができる。
【符号の説明】
【００１８】
１・・架台列、２・・基礎架台（ラック設置用架台）、３・・ラック設置部、４・・脚部、１１・・第１増設用架台（増設用架台、増設用設置部）、１２・・縦ビーム、１３・・横ビーム、１４・・突片、２１・・第２増設用架台（増設用架台）、２２・・縦ビーム、２３・・横ビーム、２４・・仕切りビーム、２５・・第１増設用設置部（増設用設置部）、２６・・第２増設用設置部（増設用設置部）、２７・・突片、３０・・脚部。
【図１】
2015070174.tif 000003
【図２】
2015070174.tif 000004
【図３】
2015070174.tif 000005
【図４】
2015070174.tif 000006
【図５】
2015070174.tif 000007